(57)【要約】      （修正有）【課題】メーカー保証された寸法精度の雄雌一対の替駒を有効に活用して、確実にメーカーによって保証された精度により測定が可能な内径ネジの有効径の測定具を提供することである。【解決手段】デジタルノギスＤＮと一対のアタッチメントＡＴと雄雌一対の替駒Ｋからなる内径ネジの有効径の測定具において、デジタルノギスＤＮの外側用ジョーＪに取付けた一対のアタッチメントＡＴに対して、雄雌一対の替駒Ｋを取付け・取替え可能にしてなることを特徴とする。【選択図】図１
0003202510.tif 000002
【実用新案登録請求の範囲】
【請求項１】
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることを特徴とする内径ネジの有効径の測定具１００。
【請求項２】
内径ネジの有効径Ｄｅは、測定する内径ネジの公称有効径Ｄｎｅとの差ΔＤｅで表示させることを特徴とする請求項１に記載された内径ネジの有効径の測定具１００。
【請求項３】
一対のアタッチメントＡＴに対して、一対の内径用替駒Ｋを取付けるにあたって、ピンゲージＰＧによって真直を確認することを特徴とする請求項１〜２の何れかに記載された内径ネジの有効径の測定具１００。
【考案の詳細な説明】
【技術分野】
【０００１】
本考案は、内径ネジの有効径の測定具に関する。
【背景技術】
【０００２】
従来の技術として、特許文献１に記載された「特殊鋼を用いて一部異なる形状の部品２個を作成し左用アタッチメント（１）と右用アタッチメント（２）とし、左用アタッチメント（１）と右用アタッチメント（２）にメートルネジのおねじの各要部をＪＴＳに基づく基本山形及び基本寸法の山形歯部を設けて、デジタルノギスの外側用ジョウ（１３）に左用アタッチメント（１）を外側用ジョウ（１４）に右側アタッチメント（２）をＭ４ボルト（１７）（１８）と（１９）（２０）で固定し加工する一般機械用めねじの有効径を測定するアタッチメント治具である技術  （下記の［特許文献］  実用新案登録第３１７７１７３号公報の請求項１）」が開示されていた。
しかし、アタッチメント治具は、基本山形及び基本寸法の山形歯部（雄雌一対の替駒）を設けた左右アタッチメント（１）（２）と、デジタルノギスの外側用ジョウ（１３）（１４）を構成要件とするもので、アタッチメント治具の校正、精度保証は、アタッチメント治具全体についてしなければならないという従来技術の欠点が指摘されていた。
また、メートルネジ（６０°）、ユニファイネジ（６０°）、ウイットウオース（５５°）のサイズ毎に、それぞれ９種類、２６種類、２６種類のアタッチメント治具を揃える必要があり、各アタッチメント治具を多数揃えるのは、高価であり、被加工物の寸法が異なる場合を測定対象とする場合は、高コストになり現実的ではない。経済的に疑問であるという従来技術の欠点が指摘されていた（下記の表１を参照）。
【表１】
0003202510.tif 000003
また、計測者が当該アタッチメント治具を使用してネジ切りを行う場合、当該アタッチメント治具は市販されておらず、替駒の加工もメーカーでない計測者が行い、かつ、校正、精度保証も計測者が行わなければならず、現実には不可能であるという従来技術の欠点が指摘されていた。
【０００３】
考案者は、かかる従来技術の欠点に鑑み鋭意研究した結果、本願考案を完成させた。
本願考案に係る内径ネジの有効径の測定具について、ＦＩ、キーワード検索を行ったところ、本件考案（本願の［実用新案登録請求の範囲］の請求項１〜３に記載の考案）に近い考案等記載文献が、１件発見された。
【先行技術文献】
【特許文献】
【０００４】
【特許文献１】実用新案登録第３１７７１７３号公報
【考案の概要】
【考案が解決しようとする課題】
【０００５】
○本考案が解決しようとする第１課題
本考案が解決しようとする第１課題は、
メーカー保証された寸法精度の雄雌一対の替駒を有効に活用して、確実にメーカーによって保証された精度により測定が可能な内径ネジ（めねじ）の有効径の測定具を提供することである。
○本考案が解決しようとする第２課題
本考案が解決しようとする第２課題は、
内径ネジの有効径を、測定する内径ネジの公称有効径との差で表示させて数値を読みやすくした内径ネジの有効径の測定具を提供することである。
○本考案が解決しようとする第３課題
本考案が解決しようとする第３課題は、
一対の専用測定子に対して、一対の内径用替駒Ｋを取付けるにあたって、精度よく取付けられたことを確認できるようにした内径ネジの有効径の測定具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○デジタルノギスＤＮとは、測定結果を数値で表示するノギスである。
○アタッチメントＡＴとは、デジタルノギスＤＮの外側用ジョーＪに取付けられ、雄雌一対の替駒Ｋを取付け・取替え可能にするための一対の付属具である。
○替駒Ｋとは、内径ネジの有効径を測定するための雄雌一対の測定治具である。
内径ネジの対抗する山と谷に、それぞれ替駒Ｋ（雌）と替駒Ｋ（雄）を当接させ、デジタルノギスＤＮの表示部の読みを読み取る。
メートルねじに対して、雄雌一対の替駒Ｋ（市販品）は、以下の６種類がある。
【表２】
0003202510.tif 000004
○内径ネジの有効径の測定具１００とは、デジタルノギスＤＮと一対のアタッチメントＡＴと雄雌一対の替駒Ｋから構成され、デジタルノギスＤＮの外側用ジョーＪに取付けた一対のアタッチメントＡＴに対して、雄雌一対の替駒Ｋを取付け・取替え可能にしてなることを特徴とする測定具である。
○外側用ジョーＪとは、測定対象を挟んで外側を測定するためのスライド部分である。
○内径ネジの有効径Ｄｅとは、ネジの谷の幅がネジ山の幅に等しくなるような仮想的な円筒の直径をいう。
○差ΔＤｅとは、以下の式（１）式で表される測定値をいう。
差ΔＤｅ＝内径ネジの有効径Ｄｅ−測定する内径ネジの公称有効径Ｄｎｅ…（１）式
○ピンゲージＰＧとは、耐久性のある素材で作られ、一定の寸法公差をもって、精密に所定の寸法に仕上げられたピン状のゲージをいう。
主に小穴の直径判定・検査のゲージとして、またその幾何偏差の測定のためにテストバーなどとして使用されている。
ただし、本願においては、ピンゲージＰＧは、一対のアタッチメントＡＴに対して、一対の内径用替駒Ｋを取付けるにあたって、真直を確認するための手段として用いられる。
○真直の確認とは、デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認することである。
＊＊＊＊＊＊＊＊＊＊＊＊＊＊＊＊＊＊＊＊＊＊＊＊＊＊＊＊＊＊＊＊＊＊＊
＜本発明に係る、内径ネジの有効径の測定具１００の実施手順＞
本発明に係る、内径ネジの有効径の測定具１００の実施手順を、以下の通りステップ１（Ｓ１）〜ステップ８（Ｓ８）に示す。
●ステップ１（Ｓ１）
デジタルノギスＤＮの外側用ジョーＪに一対のアタッチメントＡＴを取付け、アタッチメントＡＴが正しく取付けられているか確認する。
デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認する。
●ステップ２（Ｓ２）
一対のアタッチメントＡＴに雄雌一対の替駒Ｋを取付け、雄雌一対の替駒Ｋが正しく取付けられているか確認する。
●ステップ３（Ｓ３）
デジタルノギスＤＮにアタッチメントＡＴを取付け、アタッチメントＡＴが正しく取付けられているか確認する。
●ステップ４（Ｓ４）
外側ネジマイクロメーター（市販品）の寸法精度を、１７５φのテストピースにより確認する。
●ステップ５（Ｓ５）
外側ネジマイクロメーター（市販品）により、外形ネジの有効径を測定し、内径ネジの公称有効径Ｄｎｅを特定する。
例えば、Ｍ１８０、ｐ＝３のネジの場合、公称有効径Ｄｎｅ＝φ１７８．０５１である。
●ステップ６（Ｓ６）
デジタルノギスＤＮの読みを、公称有効径Ｄｎｅの読みが０になるよう設定する。
例えば、Ｍ１８０、ｐ＝３のネジの場合、公称有効径Ｄｎｅ１＝φ１７８．０５１となるが、デジタルノギスＤＮの読みを、表示部の読みが０になるように設定する。
●ステップ７（Ｓ７）
内径ネジの有効径の測定具１００により、外側ネジマイクロメーター（市販品）の寸法精度を、内径ネジの有効径Ｄｅ（表示部の読みは、測定する内径ネジの公称有効径Ｄｎｅとの差ΔＤｅ）を測定する。
●ステップ８（Ｓ８）
差ΔＤｅが所定範囲の場合、判定は合格とし、差ΔＤｅが所定範囲にない場合、判定は不合格とする。
例えば、Ｍ１８０、ｐ＝３のネジの場合、差ΔＤｅの読みが、＋０．０４８〜＋０．３４８の範囲内にあれば合格とし、＋０．０４８〜＋０．３４８の範囲内になければ不合格とする。
内径ネジの有効径の寸法表示がデジタルで表示される（Ｍ１８０ｐ＝３のネジの場合、φ１７８．０５１を０とすることにより、表示部の読みが、合格の場合、＋０．０４８〜＋０．３４８の範囲内の数値で表示されるので誤読がないという当業者予測不可能な顕著な効果を奏する。
本発明に係る、内径ネジの有効径の測定具１００によれば、誤読がなく瞬時に表示部の数値を読み取ることができるので、
機械加工のネジ切り作業が、内径ネジの有効径の測定具１００によって計測しながらできるという当業者予測不可能な顕著な効果を奏する。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることを特徴とする請求項１に記載された内径ネジの有効径の測定具１００である。
○第２の考案（請求項２に記載の考案）
上記の課題を解決するための第２の考案（請求項２に記載の考案）は、
内径ネジの有効径Ｄｅは、測定する内径ネジの公称有効径Ｄｎｅとの差ΔＤｅで表示させることを特徴とする請求項１に記載された内径ネジの有効径の測定具１００である。
○第３の考案（請求項３に記載の考案）
上記の課題を解決するための第３の考案（請求項３に記載の考案）は、
一対のアタッチメントＡＴに対して、一対の内径用替駒Ｋを取付けるにあたって、ピンゲージＰＧによって真直を確認することを特徴とする請求項１〜２の何れかに記載された内径ネジの有効径の測定具１００である。
【考案の効果】
【０００７】
本考案に係る、内径ネジの有効径の測定具１００は、上記のような特徴的構成要件から構成され、特徴的構成要件に応じた、以下のような本願考案特有の効果を奏する。
また、上記の各考案に応じた、上記のような特徴的構成要件から構成された内径ネジの有効径の測定具１００によれば、本願考案の課題を十分解消することができた。
○第１の考案の効果
第１の考案によれば、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることという特徴的な構成要件により、本考案が解決しようとする第１課題〜第３課題を達成することができ、当業者予測不可能な顕著な効果を奏することができた。
○第２の考案の効果
第２の考案によれば、
内径ネジの有効径Ｄｅは、測定する内径ネジの公称有効径Ｄｎｅとの差ΔＤｅで表示させることという特徴的な構成要件により、本考案が解決しようとする第１課題〜第３課題を達成することができ、当業者予測不可能な顕著な効果を奏することができた。
○第３の考案の効果
第３の考案によれば、
一対のアタッチメントＡＴに対して、一対の内径用替駒Ｋを取付けるにあたって、ピンゲージＰＧによって真直を確認することという特徴的な構成要件により、本考案が解決しようとする第１課題〜第３課題を達成することができ、当業者予測不可能な顕著な効果を奏することができた。
【考案を実施するための最良の形態】
【０００８】
以下、本考案に係る、内径ネジの有効径の測定具１００に関する最良の実施形態について、図面を参照しながら説明する。
図１は、本願発明に係る、内径ネジの有効径の測定具１００の構成を表す図（外側用ジョーＪが開いた状態）である。
図２は、本発明に係る、内径ネジの有効径の測定具１００の実施手順を表す図である。
図３は、本願発明に係る、内径ネジの有効径の測定具１００の構成を表す図（外側用ジョーＪが開いた状態）である。
図４は、ピンゲージＰＧを替駒専用穴ｈに挿入し、替駒専用穴ｈが真直であることを確認することを示す図である。
図５は、本発明に係る、内径ネジの有効径の測定具１００によって内径ネジの有効径を測定している状態を示す図である。
以下、本考案に係る、内径ネジの有効径の測定具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の内径ネジの有効径の測定具１００において、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることを特徴とする内径ネジの有効径の測定具１００が開示されている。
○第１の考案の効果
第１の考案によれば、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることという特徴的な構成要件により、本考案が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の内径ネジの有効径の測定具１００において、
内径ネジの有効径Ｄｅは、測定する内径ネジの公称有効径Ｄｎｅとの差ΔＤｅで表示させることを特徴とする請求項１に記載された内径ネジの有効径の測定具１００が開示されている。
○第２の考案の効果
第２の考案によれば、
内径ネジの有効径Ｄｅは、測定する内径ネジの公称有効径Ｄｎｅとの差ΔＤｅで表示させることという特徴的な構成要件により、本考案が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の内径ネジの有効径の測定具１００において、
一対のアタッチメントＡＴに対して、一対の内径用替駒Ｋを取付けるにあたって、ピンゲージＰＧによって真直を確認することを特徴とする請求項１〜２の何れかに記載された内径ネジの有効径の測定具１００が開示されている。
○第３の考案の効果
第３の考案によれば、
一対のアタッチメントＡＴに対して、一対の内径用替駒Ｋを取付けるにあたって、ピンゲージＰＧによって真直を確認することという特徴的な構成要件により、本考案が解決しようとする第１課題〜第３課題を達成することができ、当業者予測不可能な顕著な効果を奏することができた。
【図面の簡単な説明】
【０００９】
【図１】図１は、本願発明に係る、内径ネジの有効径の測定具１００の構成を表す図（外側用ジョーＪが開いた状態）である。
【図２】図２は、本発明に係る、内径ネジの有効径の測定具１００の実施手順を表す図である。
【図３】図３は、本願発明に係る、内径ネジの有効径の測定具１００の構成を表す図（外側用ジョーＪが開いた状態）である。
【図４】図４は、ピンゲージＰＧを替駒専用穴ｈに挿入し、替駒専用穴ｈが真直であることを確認することを示す図である。
【図５】図５は、本発明に係る、内径ネジの有効径の測定具１００によって内径ネジの有効径を測定している状態を示す図である。
【符号の説明】
【００１０】
ＤＮ……デジタルノギス
ＡＴ……アタッチメント
Ｋ……替駒
１００……内径ネジの有効径の測定具
ＰＧ……ピンゲージ
Ｊ……外側用ジョー
ｈ……替駒専用穴
【図１】
0003202510.tif 000005
【図２】
0003202510.tif 000006
【図３】
0003202510.tif 000007
【図４】
0003202510.tif 000008
【図５】
0003202510.tif 000009
【手続補正書】
【提出日】平成27年12月3日(2015.12.3)
【手続補正１】
【補正対象書類名】実用新案登録請求の範囲
【補正対象項目名】請求項２
【補正方法】変更
【補正の内容】
【請求項２】
内径ネジの有効径Ｄｅは、測定する内径ネジの公称有効径Ｄｎｅとの差ΔＤｅを表示させる表示部を有することを特徴とする請求項１に記載された内径ネジの有効径の測定具１００。
【手続補正２】
【補正対象書類名】実用新案登録請求の範囲
【補正対象項目名】請求項３
【補正方法】変更
【補正の内容】
【請求項３】
請求項１〜２の何れかに記載された内径ネジの有効径の測定具１００とピンゲージＰＧとの組合せにおいて、
一対のアタッチメントＡＴに対して、一対の内径用替駒Ｋを取付けるにあたって、デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認することを特徴とする内径ネジの有効径の測定具１００とピンゲージＰＧとの組合せ。
【手続補正３】
【補正対象書類名】明細書
【補正対象項目名】全文
【補正方法】変更
【補正の内容】
【考案の詳細な説明】
【技術分野】
【０００１】
本考案は、内径ネジの有効径の測定具に関する。
【背景技術】
【０００２】
従来の技術として、特許文献１に記載された「特殊鋼を用いて一部異なる形状の部品２個を作成し左用アタッチメント（１）と右用アタッチメント（２）とし、左用アタッチメント（１）と右用アタッチメント（２）にメートルネジのおねじの各要部をＪＩＳに基づく基本山形及び基本寸法の山形歯部を設けて、デジタルノギスの外側用ジョウ（１３）に左用アタッチメント（１）を外側用ジョウ（１４）に右側アタッチメント（２）をＭ４ボルト（１７）（１８）と（１９）（２０）で固定し加工する一般機械用めねじの有効径を測定するアタッチメント治具である技術  （下記の［特許文献］  実用新案登録第３１７７１７３号公報の請求項１）」が開示されていた。
しかし、アタッチメント治具は、基本山形及び基本寸法の山形歯部（雄雌一対の替駒）を設けた左右アタッチメント（１）（２）と、デジタルノギスの外側用ジョウ（１３）（１４）を構成要件とするもので、アタッチメント治具の校正、精度保証は、アタッチメント治具全体についてしなければならないという従来技術の欠点が指摘されていた。
また、メートルネジ（６０°）、ユニファイネジ（６０°）、ウイットウオース（５５°）のサイズ毎に、それぞれ９種類、２６種類、２６種類のアタッチメント治具を揃える必要があり、各アタッチメント治具を多数揃えるのは、高価であり、被加工物の寸法が異なる場合を測定対象とする場合は、高コストになり現実的ではない。経済的に疑問であるという従来技術の欠点が指摘されていた（下記の表１を参照）。
【表１】
0003202510.tif 000010
また、計測者が当該アタッチメント治具を使用してネジ切りを行う場合、当該アタッチメント治具は市販されておらず、替駒の加工もメーカーでない計測者が行い、かつ、校正、精度保証も計測者が行わなければならず、現実には不可能であるという従来技術の欠点が指摘されていた。
【０００３】
考案者は、かかる従来技術の欠点に鑑み鋭意研究した結果、本願考案を完成させた。
本願考案に係る内径ネジの有効径の測定具について、ＦＩ、キーワード検索を行ったところ、本件考案（本願の［実用新案登録請求の範囲］の請求項１〜３に記載の考案）に近い考案等記載文献が、１件発見された。
【先行技術文献】
【特許文献】
【０００４】
【特許文献１】実用新案登録第３１７７１７３号公報
【考案の概要】
【考案が解決しようとする課題】
【０００５】
○本考案が解決しようとする第１課題
本考案が解決しようとする第１課題は、
メーカー保証された寸法精度の雄雌一対の替駒を有効に活用して、確実にメーカーによって保証された精度により測定が可能な内径ネジ（めねじ）の有効径の測定具を提供することである。
○本考案が解決しようとする第２課題
本考案が解決しようとする第２課題は、
内径ネジの有効径を、測定する内径ネジの公称有効径との差で表示させて数値を読みやすくした内径ネジの有効径の測定具を提供することである。
○本考案が解決しようとする第３課題
本考案が解決しようとする第３課題は、
一対の専用測定子に対して、一対の内径用替駒Ｋを取付けるにあたって、精度よく取付けられたことを確認できるようにした内径ネジの有効径の測定具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○デジタルノギスＤＮとは、測定結果を数値で表示するノギスである。
○アタッチメントＡＴとは、デジタルノギスＤＮの外側用ジョーＪに取付けられ、雄雌一対の替駒Ｋを取付け・取替え可能にするための一対の付属具である。
○替駒Ｋとは、内径ネジの有効径を測定するための雄雌一対の測定治具である。
内径ネジの対抗する山と谷に、それぞれ替駒Ｋ（雌）と替駒Ｋ（雄）を当接させ、デジタルノギスＤＮの表示部の読みを読み取る。
メートルねじに対して、雄雌一対の替駒Ｋ（市販品）は、以下の６種類がある。
【表２】
0003202510.tif 000011
○内径ネジの有効径の測定具１００とは、デジタルノギスＤＮと一対のアタッチメントＡＴと雄雌一対の替駒Ｋから構成され、デジタルノギスＤＮの外側用ジョーＪに取付けた一対のアタッチメントＡＴに対して、雄雌一対の替駒Ｋを取付け・取替え可能にしてなることを特徴とする測定具である。
○外側用ジョーＪとは、測定対象を挟んで外側を測定するためのスライド部分である。
○内径ネジの有効径Ｄｅとは、ネジの谷の幅がネジ山の幅に等しくなるような仮想的な円筒の直径をいう。
○差ΔＤｅとは、以下の式（１）式で表される測定値をいう。
差ΔＤｅ＝内径ネジの有効径Ｄｅ−測定する内径ネジの公称有効径Ｄｎｅ…（１）式
○ピンゲージＰＧとは、耐久性のある素材で作られ、一定の寸法公差をもって、精密に所定の寸法に仕上げられたピン状のゲージをいう。
主に小穴の直径判定・検査のゲージとして、またその幾何偏差の測定のためにテストバーなどとして使用されている。
ただし、本願においては、ピンゲージＰＧは、一対のアタッチメントＡＴに対して、一対の内径用替駒Ｋを取付けるにあたって、真直を確認するための手段として用いられる。
○真直の確認とは、デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認することである。
＊＊＊＊＊＊＊＊＊＊＊＊＊＊＊＊＊＊＊＊＊＊＊＊＊＊＊＊＊＊＊＊＊＊＊
＜本発明に係る、内径ネジの有効径の測定具１００の実施手順＞
本発明に係る、内径ネジの有効径の測定具１００の実施手順を、以下の通りステップ１（Ｓ１）〜ステップ８（Ｓ８）に示す。
●ステップ１（Ｓ１）
デジタルノギスＤＮの外側用ジョーＪに一対のアタッチメントＡＴを取付け、アタッチメントＡＴが正しく取付けられているか確認する。
デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認する。
●ステップ２（Ｓ２）
一対のアタッチメントＡＴに雄雌一対の替駒Ｋを取付け、雄雌一対の替駒Ｋが正しく取付けられているか確認する。
●ステップ３（Ｓ３）
デジタルノギスＤＮにアタッチメントＡＴを取付け、アタッチメントＡＴが正しく取付けられているか確認する。
●ステップ４（Ｓ４）
外側ネジマイクロメーター（市販品）の寸法精度を、１７５φのテストピースにより確認する。
●ステップ５（Ｓ５）
外側ネジマイクロメーター（市販品）により、外形ネジの有効径を測定し、内径ネジの公称有効径Ｄｎｅを特定する。
例えば、Ｍ１８０、ｐ＝３のネジの場合、公称有効径Ｄｎｅ＝φ１７８．０５１である。
●ステップ６（Ｓ６）
デジタルノギスＤＮの読みを、公称有効径Ｄｎｅの読みが０になるよう設定する。
例えば、Ｍ１８０、ｐ＝３のネジの場合、公称有効径Ｄｎｅ１＝φ１７８．０５１となるが、デジタルノギスＤＮの読みを、表示部の読みが０になるように設定する。
●ステップ７（Ｓ７）
内径ネジの有効径の測定具１００により、外側ネジマイクロメーター（市販品）の寸法精度を、内径ネジの有効径Ｄｅ（表示部の読みは、測定する内径ネジの公称有効径Ｄｎｅとの差ΔＤｅ）を測定する。
●ステップ８（Ｓ８）
差ΔＤｅが所定範囲の場合、判定は合格とし、差ΔＤｅが所定範囲にない場合、判定は不合格とする。
例えば、Ｍ１８０、ｐ＝３のネジの場合、差ΔＤｅの読みが、＋０．０４８〜＋０．３４８の範囲内にあれば合格とし、＋０．０４８〜＋０．３４８の範囲内になければ不合格とする。
内径ネジの有効径の寸法表示がデジタルで表示される（Ｍ１８０ｐ＝３のネジの場合、φ１７８．０５１を０とすることにより、表示部の読みが、合格の場合、＋０．０４８〜＋０．３４８の範囲内の数値で表示されるので誤読がないという当業者予測不可能な顕著な効果を奏する。
本発明に係る、内径ネジの有効径の測定具１００によれば、誤読がなく瞬時に表示部の数値を読み取ることができるので、
機械加工のネジ切り作業が、内径ネジの有効径の測定具１００によって計測しながらできるという当業者予測不可能な顕著な効果を奏する。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることを特徴とする請求項１に記載された内径ネジの有効径の測定具１００である。
○第２の考案（請求項２に記載の考案）
上記の課題を解決するための第２の考案（請求項２に記載の考案）は、
内径ネジの有効径Ｄｅは、測定する内径ネジの公称有効径Ｄｎｅとの差ΔＤｅを表示させる表示部を有することを特徴とする請求項１に記載された内径ネジの有効径の測定具１００である。
○第３の考案（請求項３に記載の考案）
上記の課題を解決するための第３の考案（請求項３に記載の考案）は、
請求項１〜２の何れかに記載された内径ネジの有効径の測定具１００とピンゲージＰＧとの組合せにおいて、
一対のアタッチメントＡＴに対して、一対の内径用替駒Ｋを取付けるにあたって、デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認することを特徴とする内径ネジの有効径の測定具１００とピンゲージＰＧとの組合せである。
【考案の効果】
【０００７】
本考案に係る、内径ネジの有効径の測定具１００は、上記のような特徴的構成要件から構成され、特徴的構成要件に応じた、以下のような本願考案特有の効果を奏する。
また、上記の各考案に応じた、上記のような特徴的構成要件から構成された内径ネジの有効径の測定具１００によれば、本願考案の課題を十分解消することができた。
○第１の考案の効果
第１の考案によれば、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることという特徴的な構成要件により、本考案が解決しようとする第１課題〜第３課題を達成することができ、当業者予測不可能な顕著な効果を奏することができた。
○第２の考案の効果
第２の考案によれば、
内径ネジの有効径Ｄｅは、測定する内径ネジの公称有効径Ｄｎｅとの差ΔＤｅを表示させる表示部を有することという特徴的な構成要件により、本考案が解決しようとする第１課題〜第３課題を達成することができ、当業者予測不可能な顕著な効果を奏することができた。
○第３の考案の効果
第３の考案によれば、
請求項１〜２の何れかに記載された内径ネジの有効径の測定具１００とピンゲージＰＧとの組合せにおいて、
一対のアタッチメントＡＴに対して、一対の内径用替駒Ｋを取付けるにあたって、デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認することを特徴とする内径ネジの有効径の測定具１００とピンゲージＰＧとの組合せという特徴的な構成要件により、本考案が解決しようとする第１課題〜第３課題を達成することができ、当業者予測不可能な顕著な効果を奏することができた。
【考案を実施するための最良の形態】
【０００８】
以下、本考案に係る、内径ネジの有効径の測定具１００に関する最良の実施形態について、図面を参照しながら説明する。
図１は、本願発明に係る、内径ネジの有効径の測定具１００の構成を表す図（外側用ジョーＪが開いた状態）である。
図２は、本発明に係る、内径ネジの有効径の測定具１００の実施手順を表す図である。
図３は、本願発明に係る、内径ネジの有効径の測定具１００の構成を表す図（外側用ジョーＪが開いた状態）である。
図４は、ピンゲージＰＧを替駒専用穴ｈに挿入し、替駒専用穴ｈが真直であることを確認することを示す図である。
図５は、本発明に係る、内径ネジの有効径の測定具１００によって内径ネジの有効径を測定している状態を示す図である。
以下、本考案に係る、内径ネジの有効径の測定具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の内径ネジの有効径の測定具１００において、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることを特徴とする内径ネジの有効径の測定具１００が開示されている。
○第１の考案の効果
第１の考案によれば、
デジタルノギスＤＮと一対のアタッチメントＡＴと雄雌一対の替駒Ｋからなる内径ネジの有効径の測定具１００において、
デジタルノギスＤＮの外側用ジョーＪに取付けた一対のアタッチメントＡＴに対して、雄雌一対の替駒Ｋを取付け・取替え可能にしてなることという特徴的な構成要件により、本考案が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の内径ネジの有効径の測定具１００において、
内径ネジの有効径Ｄｅは、測定する内径ネジの公称有効径Ｄｎｅとの差ΔＤｅを表示させる表示部を有することを特徴とする請求項１に記載された内径ネジの有効径の測定具１００が開示されている。
○第２の考案の効果
第２の考案によれば、
内径ネジの有効径Ｄｅは、測定する内径ネジの公称有効径Ｄｎｅとの差ΔＤｅを表示させる表示部を有することという特徴的な構成要件により、本考案が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の内径ネジの有効径の測定具１００において、
請求項１〜２の何れかに記載された内径ネジの有効径の測定具１００とピンゲージＰＧとの組合せにおいて、
一対のアタッチメントＡＴに対して、一対の内径用替駒Ｋを取付けるにあたって、デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認することを特徴とする内径ネジの有効径の測定具１００とピンゲージＰＧとの組合せを特徴とする請求項１〜２の何れかに記載された内径ネジの有効径の測定具１００が開示されている。
○第３の考案の効果
第３の考案によれば、
請求項１〜２の何れかに記載された内径ネジの有効径の測定具１００とピンゲージＰＧとの組合せにおいて、
一対のアタッチメントＡＴに対して、一対の内径用替駒Ｋを取付けるにあたって、デジタルノギスＤＮの外側用ジョーＪが閉じた状態で、一対のアタッチメントＡＴに雄雌一対の替駒Ｋを取付ける前に、ピンゲージＰＧを替駒専用穴ｈに挿入し、替駒専用穴ｈが真直であることを確認することを特徴とする内径ネジの有効径の測定具１００とピンゲージＰＧとの組合せという特徴的な構成要件により、本考案が解決しようとする第１課題〜第３課題を達成することができ、当業者予測不可能な顕著な効果を奏することができた。
【図面の簡単な説明】
【０００９】
【図１】図１は、本願発明に係る、内径ネジの有効径の測定具１００の構成を表す図（外側用ジョーＪが開いた状態）である。
【図２】図２は、本発明に係る、内径ネジの有効径の測定具１００の実施手順を表す図である。
【図３】図３は、本願発明に係る、内径ネジの有効径の測定具１００の構成を表す図（外側用ジョーＪが開いた状態）である。
【図４】図４は、ピンゲージＰＧを替駒専用穴ｈに挿入し、替駒専用穴ｈが真直であることを確認することを示す図である。
【図５】図５は、本発明に係る、内径ネジの有効径の測定具１００によって内径ネジの有効径を測定している状態を示す図である。
【符号の説明】
【００１０】
ＤＮ……デジタルノギス
ＡＴ……アタッチメント
Ｋ……替駒
１００……内径ネジの有効径の測定具
ＰＧ……ピンゲージ
Ｊ……外側用ジョー
ｈ……替駒専用穴